(57)【要約】【課題】本発明は、シートの裏面同士を重ね合わせてもシートが破れることなく粘着力を高めることができ、携帯に便利で取り扱いが容易な使い捨て便座シートを提供することを目的とするものである。【解決手段】便座の形状に沿って形成されたシート２の裏面に上下２箇所に粘着小片３を貼着する。シート２の裏面同士を重ね合わせて、それぞれの粘着片３の間に折り畳んだ状態の離型小片４を貼着してシート２同士を重合した状態で保持する。【選択図】図１
2005040359.tif 000002
【特許請求の範囲】
【請求項１】
便座に敷く水溶性シートと、両面に粘着層を有するとともに前記水溶性シートの裏面に一方の面が貼着された粘着小片と、前記水溶性シートの裏面同士の間に折り畳まれた状態で配置されて前記水溶性シートの裏面に対向する外表面が前記粘着小片の他方の面に貼着されている離型小片とを備えていることを特徴とする使い捨て便座シート。
【請求項２】
前記粘着小片は、前記水溶性シートの裏面に複数貼着されており、前記離型小片は、前記粘着小片に対応して複数配置されていることを特徴とする請求項１に記載の使い捨て便座シート。
【請求項３】
前記離型小片は、前記粘着小片との剥離が開始される側に折り畳み部分が配置されていることを特徴とする請求項１又は２に記載の使い捨て便座シート。
【発明の詳細な説明】
【技術分野】
【０００１】
本発明は、洋式トイレの使用前に便座に敷き、使用後に便座から剥がしてトイレに流す使い捨て便座シートに関する。
【背景技術】
【０００２】
洋式トイレの普及に伴い、公共施設やホテル等の不特定多数の人が利用する建物のトイレにも洋式トイレが採用されてきている。洋式トイレでは、便座の上に座る必要があることから、便座に直接触れるようになるため、衛生上の観点から使用に躊躇することがあった。こうした問題に対応するため、便座に敷く使い捨ての便座シートが提案されている。
【０００３】
例えば特許文献１では、トイレに流しても問題ないように水解性の素材からなるシートで便座シートを形成し、その裏面に非転着性粘着層を設けて裏面同士を重合したものであって、対向する裏面上に設けられた非転着粘着層が互いに直接接触しない位置に設けられている点が記載されている。また、特許文献２では、水溶性の紙を用いた便座シートにおいて、便座シートの便座のあたる面に、全面的あるいは部分的に水溶性の粘着剤が塗布され、粘着剤が塗布された面の裏面には離型剤が塗布されて巻き取られた点が記載されている。
【特許文献１】特開２００３−１８０５６３号公報
【特許文献２】特開平７−２３１８６２号公報
【発明の開示】
【発明が解決しようとする課題】
【０００４】
しかしながら、上述した先行技術文献では、粘着層の取り扱いが難しい。例えば、特許文献１では、非転着粘着層がシートの裏面に直接粘着するので、粘着力が強すぎると剥離する際にシートが破れてしまうおそれがある。すなわち、シートの水解性を高めるためには、シートの厚さはできるだけ薄い方がよいが、厚さが薄くなると強度が弱くなり、破れやすくなる。粘着剤の粘着力を弱くすることも考えられるが、破れないように粘着力を弱くすると便座に敷いたときにずれやすくなる。また、特許文献２のように、離型剤を用いて剥がしやすくすることが考えられるが、巻き取りのため携帯用としては不便で、離型剤を全面に塗布するため高価となる。
【０００５】
そこで、本発明は、シートの裏面同士を重ね合わせてもシートが破れることなく粘着力を高めることができ、携帯に便利で取り扱いが容易な使い捨て便座シートを提供することを目的とするものである。
【課題を解決するための手段】
【０００６】
本発明に係る使い捨て便座シートは、便座に敷く水溶性シートと、両面に粘着層を有するとともに前記水溶性シートの裏面に一方の面が貼着された粘着小片と、前記水溶性シートの裏面同士の間に折り畳まれた状態で配置されて前記水溶性シートの裏面に対向する外表面が前記粘着小片の他方の面に貼着されている離型小片とを備えていることを特徴とする。さらに、前記粘着小片は、前記水溶性シートの裏面に複数貼着されており、前記離型小片は、前記粘着小片に対応して複数配置されていることを特徴とする。前記離型小片は、前記粘着片との剥離が開始される側に折り畳み部分が配置されていることを特徴とする。
【発明の効果】
【０００７】
上記のような構成を有することで、水溶性シートとは別体の粘着小片を水溶性シートの裏面に貼着して粘着小片を折り畳まれた状態の離型小片に貼着しているので、粘着小片の粘着力が大きくても離型小片からの剥離は容易に行え、水溶性シートが破れることはない。粘着小片は、両面に粘着層を備えているので、水溶性シートに裏面に貼着される面の粘着力をもう一方の面よりも大きく設定しておけば、便座に敷いた後にシートを剥がす際に容易にシートを剥がすことができるようになる。
【０００８】
また、折り畳み状態の離型小片で重なり合った水溶性シートが保持されるので、携帯時に水溶性シートがバラけてしまうことがなく、水溶性シート同士を剥がす際に両者の間が容易に開くので剥がしやすい。そして、剥がす際に離型小片は、どちらか一方の水溶性シートからまず剥がされ、その剥がされた部分を摘んで残りの水溶性シートから離型小片を剥がすことができるので、取り扱いが容易になる。
【０００９】
粘着小片を水溶性シートの裏面に複数配置して便座に敷いた際の安定性を高めることができ、それに対応して離型小片を複数配置しておけば、携帯時の水溶性シートの重合状態を安定したものとすることができる。
【００１０】
離型小片の折り畳み部分を粘着片との剥離が開始される側に配置することで、重なり合った水溶性シートを剥がす際に容易に離型小片が剥がれるようにすることができる。
【発明を実施するための最良の形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明の実施形態の平面図である。また、図２は、その分解平面図である。使い捨て便座シート１は、便座の形状に沿って切断された水溶性の素材からなるシート２の裏面に上下２箇所において粘着小片３が貼着されている。それぞれのシート２の粘着小片３の間には、２つ折に折り畳まれた離型小片４が貼着されている。
【００１３】
シート２の材料としては、パルプ等の紙繊維から製造されたもので、水洗トイレで流すことで分解するものであれば、特に限定されない。厚さは薄い方が分解しやすいが、０．５ｍｍ程度のものが好適である。
【００１４】
粘着小片３は、矩形状の紙片の両面に粘着層が形成されている。紙片は、シート２と同様に紙繊維から製造されたもので、水洗トイレで流すことで容易に分解される材料からなっている。粘着層は、アクリル酸エステル共重合体を主成分とする粘着剤を散布して形成される。そして、散布する密度を変更することにより粘着力を調整することができる。したがって、シート２の裏面に貼着する側の粘着力を大きくし、反対側の粘着力を小さくすることで、便座へ敷いた後に剥す際に容易に剥すことができるようになる。また、このように粘着小片３を別体に設けることで、シート２に直接粘着剤を付着することによる沁み出し等の問題を回避できる。
【００１５】
離型小片４は、長方形状で２つに折り畳んだ状態で粘着小片３を被覆するような大きさを有する。粘着小片３が貼着する側の面は、離型剤が塗布されており、簡単に粘着小片３から剥がれるようになっている。離型小片４についても、シート２と同様に紙繊維から製造されており、水洗トイレで流すと容易に分解する素材からなる。
【００１６】
図３は、図１のＡ−Ａ断面図である。この図から明らかなように、離型小片４は、折り畳み部分が粘着小片３から剥離が開始される側である外側に配置されている。図４に、シート２を開いて離型小片４を粘着小片３から剥離する状態を示しているが、離型小片４の折り畳み部分が外側に向いていると、シート２を開いていくと、離型小片４と粘着小片３との間が開いてくるようになり、自然に離型小片４が粘着小片３から剥がれるようになる。そして、いずれか一方の粘着小片３が離型小片４から剥がれると、その剥がれた部分を掴んで残りの粘着小片３から簡単に離型小片４を剥すことができる。剥した離型小片４は、そのままトイレに捨てることができる。離型小片４が剥されたシート２を便座に敷いて粘着小片３により適宜配置して固定することで、安定した状態で使用することができる。また、使用後は粘着小片３を便座から剥してシート２をトイレに捨てることができる。
【００１７】
以上の説明では、シート２は２つに分離されているが、Ｕ字状につながった形状としても本発明は用いることができる。また、シート２に薄い材料を用いているので、図１の状態で、全体を小さく折り畳んで携帯用とすることが簡単にできる。
【図面の簡単な説明】
【００１８】
【図１】本発明に係る実施形態の平面図である。
【図２】本発明に係る実施形態の分解平面図である。
【図３】図１のＡ−Ａ断面図である。
【図４】シート２の開いた状態の説明図である。
【符号の説明】
【００１９】
１    使い捨て便座シート
２    シート
３    粘着小片
４    離型小片
【図１】
2005040359.tif 000003
【図２】
2005040359.tif 000004
【図３】
2005040359.tif 000005
【図４】
2005040359.tif 000006